(57)【要約】【課題】簡単、確実に内スリーブと外スリーブとの中心を一致させ偏心圧縮を防止することができる圧縮スリーブを提供する。【解決手段】  鋼心線１０２ａ、１０２ｂと該鋼心線１０２ａ、１０２ｂの外周に配置されたアルミより線１０４ａ、１０４ｂとを有する鋼心アルミより線１００ａ、１００ｂの鋼心線１０２ａ、１０２ｂ同士を圧縮接続する鋼スリーブ１１と、接続した前記鋼スリーブ１１を覆い前記鋼スリーブ１１の両側に位置するアルミより線１０４ａ、１０４ｂ同士を圧縮接続するアルミスリーブ２１とを有する圧縮スリーブ１において、前記アルミスリーブ２１は、鋼心線１０２ａ、１０２ｂ同士を圧縮接続した前記鋼スリーブ１１に覆い被せた状態で前記鋼スリーブ１１の両端部１５ａ、１５ｂをそれぞれ視認可能な、該アルミスリーブ２１の中心から左右均等距離に設けられた一対の視認孔２５ａ、２５ｂを備える。【選択図】図１
2014060076.tif 000002
【特許請求の範囲】
【請求項１】
心線部と該心線部の外周に配置された外層部とを有する同心より線の心線部同士を圧縮接続する内スリーブと、接続した前記内スリーブを覆い前記内スリーブの両側に位置する外層部同士を圧縮接続する外スリーブと、を有する圧縮スリーブにおいて、
前記外スリーブは、心線部同士を圧縮接続した前記内スリーブに覆い被せた状態で前記内スリーブの両端部をそれぞれ視認可能な、該外スリーブの中心から左右均等距離に設けられた一対の視認孔を備えることを特徴とする圧縮スリーブ。
【請求項２】
前記視認孔の位置及び大きさは、心線部同士を圧縮接続するとき前記内スリーブが伸長することを考慮し、伸長した後の前記内スリーブの両端部をそれぞれ視認可能に設けられていることを特徴とする請求項１に記載の圧縮スリーブ。
【請求項３】
前記内スリーブには、前記視認孔を通じて内スリーブの端部を視認するとき前記端部を視認容易とする塗装が施されていることを特徴とする請求項１又は２に記載の圧縮スリーブ。
【請求項４】
前記視認孔が、前記内スリーブの両端部に代え、前記内スリーブのいずれか一方の端部と前記内スリーブの中心点とを視認可能に設けられていることを特徴とする請求項１から３のいずれか１に記載の圧縮スリーブ。
【請求項５】
前記外スリーブの外表面には、視認孔の中心を通過し、前記外スリーブの長手方向に直交する中心線が描かれていることを特徴とする請求項１から４のいずれか１に記載の圧縮スリーブ。
【請求項６】
前記圧縮スリーブにおいて、前記内スリーブに覆い被せ使用する２分割カラー又は２分割カラーと隙間を埋める軟アルミ線とが使用されるときは、前記内スリーブの両端部又は前記内スリーブのいずれか一方の端部と前記内スリーブの中心点とに代え、
前記視認孔は、前記２分割カラーの両端部、前記２分割カラーのいずれか一方の端部と２分割カラーの中心点、前記２分割カラーのいずれか一方の端部と前記軟アルミ線、前記軟アルミ線と前記２分割カラーの中心点とを視認可能なことを特徴とする請求項１から５のいずれか１に記載の圧縮スリーブ。
【発明の詳細な説明】
【技術分野】
【０００１】
本発明は、電線同士を接続する圧縮スリーブに関し、特に電線同士を接続するときの圧縮スリーブの位置決めを容易に行うことができる圧縮スリーブに関する。
【背景技術】
【０００２】
架空送電線などの電線同士を接続する装置として圧縮スリーブがある。代表的な圧縮スリーブである、鋼心アルミより線同士を接続するＡＣＳＲ系圧縮形直線スリーブは、中心の鋼心線を圧縮接続する鋼スリーブと、アルミより線を圧縮接続するアルミスリーブとを備える。
【０００３】
ＡＣＳＲ系圧縮形直線スリーブを用いて一対の鋼心アルミより線を接続する場合には、まず、端末のアルミより線を所定の長さ切断し、鋼心線を露出させた状態で、一方の鋼心アルミより線にアルミスリーブを通す。鋼スリーブに一対の鋼心線を挿入し、鋼スリーブを圧縮し、鋼心線同士を接続する。その後、アルミスリーブを鋼スリーブ側に移動させ、アルミスリーブと鋼スリーブとの中心を一致させ、アルミスリーブを圧縮し一対の鋼心アルミより線の接続が完了する。
【０００４】
圧縮スリーブで接続した後の引張荷重は、十分な大きさ、例えば使用電線の引張荷重の９５％以上を確保しなければならないが、アルミスリーブと鋼スリーブとの中心位置がずれる偏心圧縮等が発生すると十分な強度を確保することができなくなる。アルミスリーブをセットするときアルミスリーブは、鋼スリーブ全体を覆うため、鋼スリーブを視認することができず、アルミスリーブと鋼スリーブとの中心を一致させることは簡単ではない。偏心圧縮に関しては従来から問題視されており、これまでに偏心圧縮を防止する方法も多く提案されている。
【０００５】
従来から多く用いられている偏心防止の方法としては、挿入する電線にアルミスリーブの長さの１／２の点をマーキングする方法（マーキング法）、鋼スリーブとアルミより線との間隙上にアルミスリーブのピン孔を合わせることにより偏心を防止する方法（アルミピン法）がある。
【０００６】
この他、アルミピン法に類似の方法として鋼スリーブに結合ピンが挿入する貫通孔を、アルミスリーブには結合ピンが挿入する挿入孔を設け、鋼スリーブの貫通孔とアルミスリーブの挿入孔との位置を合わせ、結合ピンを挿入することで鋼スリーブの位置決めを行うと共に位置ずれを防止する方法がある（例えば特許文献１参照）。また鋼スリーブの端部とアルミより線の端部との間にリング状の固定部を嵌め、固定部に連結した直径０．５ｍｍ以下の紐（長尺部）に覆い被せるように圧縮スリーブを移動させ、圧縮スリーブの端部を長尺部の端部と合せることで圧縮スリーブの位置決めを行う治具も開発されている（例えば特許文献２参照）。
【先行技術文献】
【特許文献】
【０００７】
【特許文献１】特開２００２−３５４６５２号公報
【特許文献２】特開２０１１−２２９２４２号公報
【発明の概要】
【発明が解決しようとする課題】
【０００８】
偏心圧縮を防止する方法のうち、マーキング法は、作業員による寸法の測り間違い、マーキング位置の間違いにより偏心圧縮が生じる恐れがある。アルミピン法と特許文献１に記載の方法は、アルミピン又は結合ピンの紛失、アルミピン又は結合ピンの挿入忘れにより偏心圧縮が生じる恐れがある。
【０００９】
特許文献２に記載の位置決め治具を用いた方法の場合、圧縮スリーブ以外に位置決め治具を準備する必要がある。さらに位置決め治具は、圧縮スリーブが圧縮されると回収することができず、１つの圧縮スリーブに対して１つの位置決め治具が必要となる。さらにアルミピン又は結合ピンと同様に、挿入忘れにより偏心圧縮が生じる恐れがある。
【００１０】
本発明の目的は、簡単、確実に内スリーブと外スリーブとの中心を一致させ偏心圧縮を防止することができる圧縮スリーブを提供することである。
【課題を解決するための手段】
【００１１】
本発明は、心線部と該心線部の外周に配置された外層部とを有する同心より線の心線部同士を圧縮接続する内スリーブと、接続した前記内スリーブを覆い前記内スリーブの両側に位置する外層部同士を圧縮接続する外スリーブと、を有する圧縮スリーブにおいて、前記外スリーブは、心線部同士を圧縮接続した前記内スリーブに覆い被せた状態で前記内スリーブの両端部をそれぞれ視認可能な、該外スリーブの中心から左右均等距離に設けられた一対の視認孔を備えることを特徴とする圧縮スリーブである。
【００１２】
本発明の圧縮スリーブは、外スリーブが中心から左右均等距離に設けられた左右一対の、心線部同士を圧縮接続した内スリーブの両端部をそれぞれ視認可能な視認孔を有するので、該視認孔を内スリーブの端部に合せることで外層部同士を接続する前に内スリーブと外スリーブとの中心を簡単かつ確実に一致させることができる。これにより偏心圧縮を防止することができる。
【００１３】
また本発明は、前記圧縮スリーブにおいて、前記視認孔の位置及び大きさは、心線部同士を圧縮接続するとき前記内スリーブが伸長することを考慮し、伸長した後の前記内スリーブの両端部をそれぞれ視認可能に設けられていることを特徴とする。
【００１４】
内スリーブは、心線部同士を接続するとき圧縮されると僅かに長手方向に伸長するが、本発明ではこの点を考慮し視認孔の位置及び大きさを設定しているので、視認孔を通じて内スリーブの両端部を確実に確認することができる。
【００１５】
また本発明は、前記圧縮スリーブにおいて、前記内スリーブには、前記視認孔を通じて内スリーブの端部を視認するとき前記端部を視認容易とする塗装が施されていることを特徴とする。
【００１６】
外スリーブに設けられた視認孔の大きさは、一般的な圧縮スリーブの場合、１０ｍｍ程度の大きさであるから、薄暗い環境下等では内スリーブの端部の視認が難しくなるが、内スリーブに赤色、蛍光色塗料などを施すことでこのような環境下でも内スリーブの端部と同心より線との区別が容易となり、内スリーブと外スリーブとの中心を簡単かつ確実に一致させることができる。
【００１７】
また本発明は、前記圧縮スリーブにおいて、前記視認孔が、前記内スリーブの両端部に代え、前記内スリーブのいずれか一方の端部と前記内スリーブの中心点とを視認可能に設けられていることを特徴とする。
【００１８】
本発明において、内スリーブの両端部に代え、内スリーブのいずれか一方の端部と内スリーブの中心点とを視認することでも内スリーブと外スリーブとの中心を一致させることが可能であり、これにより偏心圧縮を防止することができる。
【００１９】
また本発明は、前記圧縮スリーブにおいて、前記外スリーブの外表面には、視認孔の中心を通過し、前記外スリーブの長手方向に直交する中心線が描かれていることを特徴とする。
【００２０】
本発明によれば外スリーブの外表面には視認孔の中心を示す中心線が描かれているので、内スリーブと視認孔の中心との距離を左右均等にすることが容易であり、偏心圧縮を確実に防止することができる。
【００２１】
また本発明は、前記圧縮スリーブにおいて、前記内スリーブに覆い被せ使用する２分割カラー又は２分割カラーと隙間を埋める軟アルミ線とが使用されるときは、前記内スリーブの両端部又は前記内スリーブのいずれか一方の端部と前記内スリーブの中心点とに代え、前記視認孔は、前記２分割カラーの両端部、前記２分割カラーのいずれか一方の端部と２分割カラーの中心点、前記２分割カラーのいずれか一方の端部と前記軟アルミ線、前記軟アルミ線と前記２分割カラーの中心点とを視認可能なことを特徴とする。
【００２２】
一般的に断面積の大きい同心より線同士を接続する圧縮スリーブにおいては、隙間を埋めるために２分割カラーを内スリーブに覆い被せ使用するが、このような圧縮スリーブにおいては、内スリーブに代え２分割カラーの両端部等を視認するように視認孔を設ければよい。これにより２分割カラーを使用する圧縮スリーブにおいても、簡単、確実に内スリーブと外スリーブとの中心を一致させ偏心圧縮を防止することができる。
【発明の効果】
【００２３】
本発明によれば、簡単、確実に内スリーブと外スリーブとの中心を一致させ偏心圧縮を防止することができる。
【図面の簡単な説明】
【００２４】
【図１】本発明の第１実施形態の圧縮スリーブ１の構成を示す断面図である。
【図２】本発明の第２実施形態の圧縮スリーブ２の構成を示す要部断面図である。
【図３】図２の切断線Ａ−Ａ、切断線Ｂ−Ｂの断面図である。
【図４】本発明の第３実施形態の圧縮スリーブ３のアルミスリーブ２２及び鋼スリーブ１２の斜視図である。
【発明を実施するための形態】
【００２５】
図１は、本発明の第１実施形態の圧縮スリーブ１の構成を示す断面図である。以下、電線に鋼心アルミより線１００を使用し、２本の鋼心アルミより線１００ａ、１００ｂを直線的に接続する場合を例として、圧縮スリーブ１の構成、使用方法を説明する。
【００２６】
圧縮スリーブ１は、２本の鋼心アルミより線１００（１００ａ、１００ｂ）を直線的に接続する装置である。鋼心アルミより線１００は、中心部に鋼より線（鋼心線）１０２（１０２ａ、１０２ｂ）を配置し、その周囲にアルミより線１０４（１０４ａ、１０４ｂ）をより合せたものであり、圧縮スリーブ１は、心線である鋼心線１０２ａ、１０２ｂ同士を接続する鋼スリーブ１１と、外層部であるアルミより線１０４ａ、１０４ｂ同士を接続するアルミスリーブ２１とを有する。
【００２７】
鋼スリーブ１１は、円筒状部材であり、中心部に隔壁１３が設けられ、隔壁１３により左右に仕切られている。鋼スリーブ１１の内径は、鋼心線１０２の外径よりも僅かに大きく、隔壁１３から端部１５ａ、隔壁１３から端部１５ｂまでの長さは同じで、左右対称である。
【００２８】
鋼スリーブ１１の両端部１５ａ、１５ｂは、後述するようにアルミスリーブ２１に設けられた視認孔２５ａ、２５ｂを通じて視認される。視認孔２５ａ、２５ｂの孔径は１０ｍｍ程度であるが、そのような大きさの視認孔からでも鋼スリーブ１１の両端部１５ａ、１５ｂと鋼心線１０２及びアルミより線１０４とを明確に区別することができるように鋼スリーブ１１の外表面には塗装が施されている。
【００２９】
鋼スリーブ１１の外表面の塗装は、特定のものに限定されないが、視認孔２５ａ、２５ｂを通じて鋼スリーブ１１の両端部１５ａ、１５ｂを視認した状態を写真撮影し、記録して保存するような場合には、赤色など特に目立つ色が好ましい。また薄暗い環境下、あるいはライトを照らした状態でも鋼スリーブ１１の両端部１５ａ、１５ｂを明確に視認することができるように蛍光塗料を使用することが好ましい。鋼スリーブ１１の外表面の塗装は、両端部１５ａ、１５ｂの視認を容易とすることを目的に施されるものであるから両端部１５ａ、１５ｂの近傍にのみ塗装を施してもよい。
【００３０】
アルミスリーブ２１は、円筒状部材であり、内径はアルミより線１０４の外径よりも僅かに大きく、鋼スリーブ１１及び鋼スリーブ１１の両側のアルミより線１０４ａ、１０４ｂを十分に覆うことができる長さを有する。
【００３１】
アルミスリーブ２１は、鋼スリーブ１１の中心点１４とアルミスリーブ２１の中心点２３とを一致させるための視認孔２５ａ、２５ｂを有する。視認孔２５ａ、２５ｂは、アルミスリーブ２１の外表面２７から内表面２９まで貫通した貫通孔であり、アルミスリーブ２１を鋼スリーブ１１に覆い被せた状態で鋼スリーブ１１の両端部１５ａ、１５ｂの位置を視認することができる。なお、本実施形態ではこの視認孔２５ａ、２５ｂを、充填剤注入孔としても使用するため雌ねじ（図示省略）が施されている。
【００３２】
視認孔２５ａ、２５ｂは、アルミスリーブ２１の中心点２３を基点に左右同じ距離に設けられている。左右の鋼心線１０２ａ、１０２ｂを鋼スリーブ１１で接続するとき、鋼スリーブ１１は、圧縮されるため圧縮前に比較して僅かに伸長する。視認孔２５ａ、２５ｂは、この鋼スリーブ１１の伸びを考慮し、左右の鋼心線１０２ａ、１０２ｂを接続した状態で鋼スリーブ１１の両端部１５ａ、１５ｂを視認することができるように設けられている。
【００３３】
左右の鋼心線１０２ａ、１０２ｂを接続するときの鋼スリーブ１１の伸びは、左右にそれぞれ最大で５ｍｍ程度であるから視認孔２５ａ、２５ｂの孔径を５ｍｍ以上とすることで鋼スリーブ１１の両端部１５ａ、１５ｂを視認することができる。また本実施形態のように視認孔２５ａ、２５ｂを充填剤注入孔として利用する場合には、充填剤の注入性も考慮し視認孔２５ａ、２５ｂの孔径を決めるべきである。
【００３４】
以上のことを踏まえると視認孔２５ａ、２５ｂの孔径は、鋼心アルミより線１００の公称断面積が５８〜２００ｍｍ２であればφ８ｍｍ、鋼心アルミより線１００の公称断面積が２００ｍｍ２以上であればφ１２ｍｍであることが好ましい。この大きさは従来から一般的に使用されている充填剤を注入する充填剤注入孔と同じ大きさである。
【００３５】
またアルミスリーブ２１の外表面２７には、視認孔２５ａ、２５ｂの中心を通りアルミスリーブ２１の長手方向に直交する中心線２６ａ、２６ｂが描かれている（図４参照）。中心線２６ａ、２６ｂを描くことで、視認孔２５ａと鋼スリーブ１１の端部１５ａとの位置関係、視認孔２５ｂと鋼スリーブ１１の端部１５ｂとの位置関係を同一とすることが容易となり、結果、鋼スリーブ１１の中心点１４とアルミスリーブ２１の中心点２３とを確実に一致させることができる。
【００３６】
圧縮スリーブ１を用いて２本の鋼心アルミより線１００ａ、１００ｂを接続する方法を説明する。各鋼心アルミより線１００ａ、１００ｂの外層部であるアルミより線１０４ａ、１０４ｂを端部から所定の長さ切断し、鋼心線１０２ａ、１０２ｂを露出させる。次に、アルミスリーブ２１をアルミより線１０４ａ又はアルミより線１０４ｂに通す。
【００３７】
鋼スリーブ１１を圧縮ダイス（図示を省略）にかませ、左右の鋼心線１０２ａ、１０２ｂを鋼スリーブ１１に挿入する。このとき鋼心線１０２ａ、１０２ｂの先端部が、鋼スリーブ１１の中央の隔壁１３に当接するまで挿入する。これにより鋼スリーブ１１と２本の鋼心アルミより線１００ａ、１００ｂの位置が決まる。鋼心アルミより線１００ａ、１００ｂを水平に保持し鋼スリーブ１１の中央を圧縮し、その後、端部１５ａ、１５ｂ方向に向かって順次、鋼スリーブ１１を圧縮し、２本の鋼心線１０２ａ、１０２ｂを接続する。
【００３８】
次に、圧縮した鋼スリーブ１１を覆うようにアルミスリーブ２１を中心部に移動させる。このときアルミスリーブ２１の視認孔２５ａから鋼スリーブ１１の端部１５ａを、視認孔２５ｂから鋼スリーブ１１の端部１５ｂを視認し、視認孔２５に対する鋼スリーブ１１の端部１５の位置が左右で同じとなるようにアルミスリーブ２１の位置を調整する。鋼スリーブ１１には、端部１５を視認し易いように塗装が、またアルミスリーブ２１には視認孔２５の中心線が施されているので、アルミスリーブ２１の位置調整は容易である。
【００３９】
鋼スリーブ１１及びアルミスリーブ２１とも中心点を基準に左右対称に形成されているので、視認孔２５に対する鋼スリーブ１１の端部１５の位置が左右で同じになるように配置すると自動的に鋼スリーブ１１の中心とアルミスリーブ２１の中心とが一致する。
【００４０】
次に、アルミスリーブ２１の視認孔２５ａから充填剤を充填し、充填後、視認孔２５ａに止め栓３５ａをねじ込む。従来の一般的な圧縮スリーブの場合、充填剤注入時に鋼スリーブ１１とアルミスリーブ２１との位置がずれても確認することができないが、本圧縮スリーブ１の場合、視認孔２５が２つあるので視認孔２５ａから充填剤を充填するとき、視認孔２５ｂを通じて鋼スリーブ１１とアルミスリーブ２１との位置が動いていないか確認することができる。
【００４１】
鋼心アルミより線１００ａ、１００ｂを水平に保持し、アルミスリーブ２１の中心から視認孔２５ａ側のアルミスリーブ２１を順次圧縮する。その後、アルミスリーブ２１の視認孔２５ｂから充填剤を充填し、視認孔２５ｂを止め栓３５ｂで閉じた後、アルミスリーブ２１の中心から視認孔２５ｂ側のアルミスリーブ２１を順次圧縮する。以上の操作より、２本の鋼心アルミより線１００ａ、１００ｂの接続が完了する。なお、視認孔２５ｂ側のアルミスリーブ２１を先に圧縮し、その後、視認孔２５ａ側のアルミスリーブ２１を圧縮するようにしてもよい。
【００４２】
アルミスリーブ２１の圧縮は、上記のように片側毎に行う方法の他、視認孔２５ａから充填剤を充填後、止め栓３５ａを取付け、視認孔２５ａ周辺のみを圧縮し仮止めし、視認孔２５ｂから充填剤を充填後、全体を順次圧縮するようにしてもよい。
【００４３】
上記のように圧縮スリーブ１は、アルミスリーブ２１を鋼スリーブ１１に被せた状態で鋼スリーブ１１の両端部１５ａ、１５ｂを視認することができる視認孔２５ａ、２５ｂがアルミスリーブ２１に設けられているので、簡単、確実に鋼スリーブ１１とアルミスリーブ２１との中心を一致させることが可能であり、偏心圧縮を防止することができる。
【００４４】
また本圧縮スリーブ１は、アルミスリーブ２１に設けた視認孔２５を充填剤注入口としても使用するので、別途、充填剤注入口を設ける必要がなく製造が容易となる。
【００４５】
鋼スリーブ１１の中心点１４とアルミスリーブ２１との中心点２３との一致は、ずれを全く許容しないものではないが、鋼スリーブ１１とアルミスリーブ２１との中心点の一致は厳密に管理されている。実際上、許容されるずれは最大でも５ｍｍであり、限りなく０ｍｍとすることが求められている。
【００４６】
鋼スリーブ１１の中心点１４とアルミスリーブ２１との中心点２３とを一致させるには、１つの視認孔２５でも可能ではあるが、上記のように鋼スリーブ１１とアルミスリーブ２１との中心点の一致が厳密に管理されていることを考えれば、視認孔は２つ設けるべきである。また１つの視認孔２５でこれを充填剤注入口として使用する場合には、充填剤注入時に鋼スリーブ１１とアルミスリーブ２１との位置がずれても確認することができない。この点からも視認孔２５は、２つ設けるべきである。
【００４７】
図２は、本発明の第２実施形態の圧縮スリーブ２の構成を示す要部断面図、図３は、図２の切断線Ａ−Ａ、切断線Ｂ−Ｂの断面図である。図２において、アルミスリーブ２１は、圧縮前の状態である。図１に示す第１実施形態の圧縮スリーブ１と同一の構成には、同一の符号を付して説明を省略する。以下、電線に鋼心アルミより線１００を使用し、２本の鋼心アルミより線１００ａ、１００ｂを直線的に接続する場合を例として、第１実施形態の圧縮スリーブ１と異なる点を中心に説明する。
【００４８】
第２実施形態の圧縮スリーブ２は、第１実施形態の圧縮スリーブ１と同一の鋼スリーブ１１とアルミスリーブ２１の他、鋼スリーブ１１とアルミスリーブ２１との隙間を埋める２分割アルミカラー４１（４１ａ、４１ｂ）を有する。
【００４９】
２分割アルミカラー４１は、鋼スリーブ１１とアルミスリーブ２１との隙間を埋める充填材であり、鋼スリーブ１１に覆い被せるように取付けられる。２分割アルミカラー４１は、外側が円柱状、内側が六角形の中空アルミカラーを、軸線を含むように長手方向に２分割した一対の２分割アルミカラー４１ａ、４１ｂからなる。ここでは一対の２分割アルミカラー４１ａ、４１ｂを突き合わせた状態で内側の形状が六角形となる２分割アルミカラー４１を示したが、２分割アルミカラー４１は、内側が六角形のものに限定されるものではない。
【００５０】
一対の２分割アルミカラー４１ａ、４１ｂは、同一の大きさ及び形態からなり、内側断面の大きさは、圧縮した鋼スリーブ１１の外周断面と略同一であり、長さは、鋼スリーブ１１よりも僅かに長い。また２分割アルミカラー４１ａ、４１ｂを組み合わせた状態で２分割アルミカラー４１の外径は、アルミより線１０４の外径よりも僅かに小さい。
【００５１】
一対の２分割アルミカラー４１ａ、４１ｂの一方の端部４３（４３ａ、４３ｂ）には長手方向に直交し内側に向いたストッパー４７ａ、４７ｂが設けられ、ストッパー４７ａ、４７ｂの中心部には、鋼心線１０２ａ、１０２ｂを通すための半円状の溝が設けられている。このストッパー４７ａ、４７ｂは、２分割アルミカラー４１ａ、４１ｂを鋼スリーブ１１に覆い被せるように取付けたとき、鋼スリーブ１１の端部１５ａに係止する。
【００５２】
一対の２分割アルミカラー４１ａ、４１ｂの他方の端部４５（４５ａ、４５ｂ）には、ストッパーは設けられていない。使用するときには２分割アルミカラー４１ａ、４１ｂを鋼スリーブ１１に覆い被せるように取付け、２分割アルミカラー４１ａ、４１ｂの端部４５とアルミより線１０４ｂとの隙間に軟アルミ線５１を巻き付ける。これにより２分割アルミカラー４１ａ、４１ｂの位置が決まる。
【００５３】
第１実施形態の圧縮スリーブ１のアルミスリーブ２１は、鋼スリーブ１１の両端部１５ａ、１５ｂを視認することができるように視認孔２５ａ、２５ｂが設けられているが、第２実施形態の圧縮スリーブ２のアルミスリーブ２１は、２分割アルミカラー４１の端部４３ａ及び２分割アルミカラー４１の端部４５ａ及び軟アルミ線５１を視認することができるように視認孔２５ａ、２５ｂが設けられている。
【００５４】
第２実施形態の圧縮スリーブ２においては、視認孔２５ａに対する２分割アルミカラー４１の端部４３ａの位置と、視認孔２５ｂに対する軟アルミ線５１の中心位置とを同一とすることで鋼スリーブ１１とアルミスリーブ２１との中心を一致させることができる。
【００５５】
第２実施形態の圧縮スリーブ２においては、鋼スリーブ１１には視認を容易とする塗装は施されておらず、代わりに２分割アルミカラー４１に視認を容易とする塗装が施されている。本実施形態においても視認を容易とする塗装は、２分割アルミカラー４１の両端部４３、４５近傍のみであってもよい。
【００５６】
圧縮スリーブ２を用いて２本の鋼心アルミより線１００ａ、１００ｂを接続する方法を説明する。２本の鋼心線１０２ａ、１０２ｂの接続要領は、圧縮スリーブ１と同一であるので説明を省略する。
【００５７】
鋼スリーブ１１で２本の鋼心線１０２ａ、１０２ｂを接続した後、２分割アルミカラー４１ａ、４１ｂを被せ、２分割アルミカラー４１の端部４５とアルミより線１０４ｂとの隙間に、隙間を埋めるように軟アルミ線５１を巻き付ける。
【００５８】
以降は、第１実施形態の圧縮スリーブ１と同様の要領でアルミより線１０４ａ、１０４ｂを接続する。以上の操作より、２本の鋼心アルミより線１００ａ、１００ｂの接続が完了する。
【００５９】
断面積の大きい鋼心アルミより線１００を圧縮スリーブで接続する場合には、一般的に２分割アルミカラーを備える圧縮スリーブが使用される。第２実施形態に示す圧縮スリーブ２は、２分割アルミカラー４１を備えるので、断面積の大きい鋼心アルミより線１００の接続に好適に使用可能であり、２分割アルミカラー４１を使用する圧縮スリーブ２においても、２分割アルミカラーの端部４３、４５及び軟アルミ線５１を視認することができるので簡単、確実に鋼スリーブ１１とアルミスリーブ２１との中心を一致させ偏心圧縮を防止することができる。
【００６０】
第２実施形態の圧縮スリーブ２では、２分割アルミカラー４１が、一方の端部４３にのみストッパー４７を有し、他方の端部４５は、軟アルミ線５１を巻き付け使用するタイプの２分割アルミカラー４１であったが、両端部にストッパーを備える２分割アルミカラーであってもよい。両端部にストッパーを備え、軟アルミ線５１を使用しないタイプの２分割アルミカラーの場合、２分割アルミカラーの両端部を視認することができるようにアルミスリーブ２１に視認孔２５を設ければよい。
【００６１】
図４は、本発明の第３実施形態の圧縮スリーブ３のアルミスリーブ２２及び鋼スリーブ１２の斜視図である。図１に示す第１実施形態の圧縮スリーブ１、図２及び図３に示す第２実施形態の圧縮スリーブ２と同一の構成には、同一の符号を付して説明を省略する。
【００６２】
図１に示す第１実施形態の圧縮スリーブ１及び第２実施形態の圧縮スリーブ２とも、基本的には視認孔２５ａ、２５ｂを通じて鋼スリーブ１１の両端部１５ａ、１５ｂを視認することで鋼スリーブ１１とアルミスリーブ２１との中心を一致させるが、第３実施形態の圧縮スリーブ３では、視認孔２５ａ、２５ｂを通じて鋼スリーブ１２の一端１５ａと鋼スリーブ１２の中心点１４を視認することで鋼スリーブ１２とアルミスリーブ２２との中心を一致させる。
【００６３】
このため圧縮スリーブ３で使用するアルミスリーブ２２は、鋼心線１０２ａ、１０２ｂを接続した状態の鋼スリーブ１２に被せた状態で、鋼スリーブ１２の一端部１５ａ及び鋼スリーブ１２の中心点１４を視認可能に視認孔２５ａ、２５ｂが穿設されている。視認孔２５の位置を除けば、圧縮スリーブ３で使用するアルミスリーブ２２は、第１及び第２実施形態の圧縮スリーブ１、２のアルミスリーブ２１と同一である。
【００６４】
圧縮スリーブ３で使用する鋼スリーブ１２も、圧縮スリーブ１、２で使用する鋼スリーブ１１と基本的形態は同一であるが視認孔２５を通じて鋼スリーブ１２の中心点１４を視認するとき、中心点１４を視認し易いように中心点１４を境界に左右が色分けされている。
【００６５】
第３実施形態の圧縮スリーブ３では、鋼スリーブ１２の中心とアルミスリーブ２２の中心とを一致させるために、視認孔２５ａ、２５ｂを通じて鋼スリーブ１２の一方の端部１５ａと鋼スリーブ１２の中心点１４を視認するが、この点を除けば使用方法は、第１実施形態の圧縮スリーブ１と同じである。なお、鋼スリーブ１２の上に２分割アルミカラー４１を被せて使用する場合には、鋼スリーブ１２に代え、２分割アルミカラー４１の一方の端部４３又は軟アルミ線５１と２分割アルミカラー４１の中心点とを視認可能に視認孔２５を配置すればよい。
【００６６】
以上、３つの実施形態を用いて本発明の圧縮スリーブを説明したけれども、本発明の圧縮スリーブは、上記実施形態に限定されるものではなく、要旨を変更しない範囲で変更使用することができる。
【００６７】
また上記実施形態では、電線に鋼心アルミより線を使用する例を示したが、電線は鋼心アルミより線に限定されるものではなく、心線部と該心線部の外周に配置された外層部とを有する同心より線からなる電線同士の接続に本発明の圧縮スリーブを使用することができる。上記実施形態では、心線が鋼材であったため鋼スリーブを、外層部がアルミより線であったため２分割アルミカラー、アルミスリーブを使用するが、心線部及び外層部の材質が変われば、心線を接続するスリーブである内スリーブの材質には、心線の材質と同じか類似のものを、外層部を接続するスリーブである外スリーブの材質には、外層部の材質と同じか類似のものを使用すればよい。
【符号の説明】
【００６８】
１  圧縮スリーブ
２  圧縮スリーブ
３  圧縮スリーブ
１１  鋼スリーブ
１２  鋼スリーブ
１４  鋼スリーブの中心点
１５ａ、１５ｂ  鋼スリーブの端部
２１  アルミスリーブ
２２  アルミスリーブ
２３  アルミスリーブの中心点
２５ａ、２５ｂ  視認孔
２６ａ、２６ｂ  視認孔の中心を示す中心線
２７  アルミスリーブの外表面
４１、４１ａ、４１ｂ  ２分割アルミカラー
４３、４３ａ、４３ｂ  ２分割アルミカラーの一端部
４５、４５ａ、４５ｂ  ２分割アルミカラーの他端部
５１  軟アルミ線
１００、１００ａ、１００ｂ  鋼心アルミより線
１０２、１０２ａ、１０２ｂ  鋼より線、鋼心線
１０４、１０４ａ、１０４ｂ  アルミより線
【図１】
2014060076.tif 000003
【図２】
2014060076.tif 000004
【図３】
2014060076.tif 000005
【図４】
2014060076.tif 000006